(57)【要約】【課題】  回転するブラシローラーのブラシ部により各種の部材を清掃するにあたり、ブラシローラーのブラシ部に付着した異物を効率よく除去して、ブラシローラーによる各種の部材の清掃が長期にわたって安定して行えるようにすると共に、各種の部材の表面がブラシローラーのブラシ部との接触によって大きく摩耗するのを抑制する。【解決手段】  回転するブラシローラー４１のブラシ部４１ａに付着した異物を清掃部材４２によって除去するにあたり、ブラシローラーの軸方向に沿った回転軸４２ａの外周に半径方向外方に突出された羽根部材４２ｂを有する清掃部材４２を用い、この清掃部材における羽根部材を、ブラシローラーのブラシ部内に食い込んだ状態で回転させるようにした。【選択図】  図３
2013190543.tif 000002
【特許請求の範囲】
【請求項１】
回転するブラシローラーのブラシ部に付着した異物を除去するブラシローラー清掃装置において、ブラシローラーの軸方向に沿った回転軸の外周に半径方向外方に突出した羽根部材を設けた清掃部材を用い、この清掃部材における羽根部材をブラシローラーのブラシ部内に食い込んだ状態で回転させることを特徴とするブラシローラー清掃装置。
【請求項２】
請求項１に記載のブラシローラー清掃装置において、前記の清掃部材における羽根部材を、前記の回転軸の外周に沿って円板状に突出させたことを特徴とするブラシローラー清掃装置。
【請求項３】
請求項１又は請求項２に記載のブラシローラー清掃装置において、前記の清掃部材における羽根部材を、前記の回転軸の軸方向に沿って複数設けたことを特徴とするブラシローラー清掃装置。
【請求項４】
請求項１〜請求項３の何れか１項に記載のブラシローラー清掃装置において、前記の清掃部材における羽根部材を、前記の回転軸の軸方向に傾斜して設けたことを特徴とするブラシローラー清掃装置。
【請求項５】
請求項４に記載のブラシローラー清掃装置において、前記の清掃部材に設けられた複数の羽根部材における一部の羽根部材を、前記の回転軸の軸方向に対して傾斜する方向が異なる羽根部材を交差するように構成したことを特徴とするブラシローラー清掃装置。
【請求項６】
請求項１〜請求項５の何れか１項に記載のブラシローラー清掃装置において、前記のブラシローラーと清掃部材とを同方向に回転させて、ブラシローラーと前記の清掃部材とが対向する位置で、ブラシローラーと清掃部材とを逆方向に移動させることを特徴とするブラシローラー清掃装置。
【請求項７】
請求項１〜請求項５の何れか１項に記載のブラシローラー清掃装置において、前記のブラシローラーと清掃部材とを逆方向に回転させて、ブラシローラーと前記の清掃部材とが対向する位置で、ブラシローラーと清掃部材とを同方向に移動させるにあたり、ブラシローラーと清掃部材との回転速度を異ならせたことを特徴とするブラシローラー清掃装置。
【請求項８】
ブラシローラーを使用した画像形成装置において、ブラシローラーのブラシ部に付着した異物を前記の請求項１〜請求項７の何れか１項に記載のブラシローラー清掃装置を用いて清掃させることを特徴とする画像形成装置。
【請求項９】
記録媒体に転写されたトナー画像を、定着装置に設けられた加熱ローラーと加圧ローラーとの間で定着させ、加熱ローラー及び／又は加圧ローラーに付着された異物をブラシローラーにより除去させる画像形成装置において、前記のブラシローラーのブラシ部に付着した異物を、前記の請求項１〜請求項７の何れか１項に記載のブラシローラー清掃装置を用いて清掃させることを特徴とする画像形成装置。
【請求項１０】
請求項９に記載の画像形成装置において、前記の加圧ローラーに付着された異物を回収する回収ローラーを設け、この回収ローラーに回収された異物を前記のブラシローラーによって除去させ、このブラシローラーのブラシ部に付着した異物を、前記の請求項１〜請求項７の何れか１項に記載のブラシローラー清掃装置を用いて清掃させることを特徴とする画像形成装置。
【発明の詳細な説明】
【技術分野】
【０００１】
本発明は、回転するブラシローラーのブラシ部に付着した異物を除去するブラシローラー清掃装置及びこのようなブラシローラー清掃装置を用いた画像形成装置に関するものである。特に、複写機、プリンター、ファクシミリ及びこれらの複合機等の画像形成装置において、各種の部材に付着した異物をブラシローラーにより清掃した結果、このブラシローラーのブラシ部に異物が付着した場合に、このブラシ部に付着した異物を効率よく除去するようにした点に特徴を有するものである。
【背景技術】
【０００２】
複写機、プリンター、ファクシミリ及びこれらの複合機等の画像形成装置においては、画像形成装置内に設けられた各種の部材を清掃するのに、このような部材に接触するようにしてブラシローラーを回転させ、これらの部材に付着したトナーや紙粉等の異物を、このブラシローラーによって除去させることが行われている。例えば、トナー画像が転写された記録媒体を加熱ローラーと加圧ローラーとの間で加熱・加圧して、トナー画像を記録媒体に定着させる定着装置においては、加熱ローラーや加圧ローラー等にブラシローラーを接触させて回転させ、加熱ローラーや加圧ローラー等に付着したトナーや紙粉等の異物を、このブラシローラーによって除去させることが行われている。
【０００３】
ここで、このように加熱ローラーや加圧ローラー等に付着したトナーや紙粉等の異物をブラシローラーによって除去させた場合、除去されたトナーや紙粉等の異物がブラシローラーのブラシ部に付着するようになる。
【０００４】
そして、このようにブラシ部に異物が付着したブラシローラーを加熱ローラーや加圧ローラー等に接触させて清掃を続けて行うと、加熱ローラーや加圧ローラー等を適切に清掃することができなくなり、また、ブラシローラーのブラシ部が付着した異物によって硬くなり、ブラシローラーとの接触により加熱ローラーや加圧ローラー等の表面が摩耗したりするという問題があった。
【０００５】
このため、従来においては、特許文献１に示されるように、加熱ローラーと加圧ローラーとによってトナー画像を記録媒体に定着させる定着装置において、加熱ローラーや加圧ローラーに付着したトナーや紙粉等の異物をブラシローラーによって除去させるにあたり、定着装置のハウジング内に前記のブラシローラーと当接するように突起を設け、この突起によってブラシローラーのブラシ部に付着したトナーや紙粉等の異物を除去するようにしたものが提案されている。
【０００６】
また、特許文献２においては、記録紙を除電させるブラシローラーからなる除電ブラシに当接するように板状のクリーニング部材を設け、除電ブラシに付着した紙粉等の異物をこのクリーニング部材によって除去するようにしたものが提案されている。
【０００７】
しかし、上記のように定着装置のハウジング内に設けられた突起によってブラシローラーのブラシ部に付着したトナーや紙粉等の異物を除去するようにした場合や、クリーニング部材によって除電ブラシに付着した紙粉等の異物を除去するようにした場合には、除去された異物が突起やクリーニング部材の上流側の部分に堆積し、このように堆積した異物が再度ブラシローラーや除電ブラシに付着してしまい、ブラシローラーや除電ブラシによってこれらの部材を適切に清掃することができなくなり、またブラシローラーとの接触により部材の表面が摩耗したりするという問題が依然として存在した。
【先行技術文献】
【特許文献】
【０００８】
【特許文献１】特開２００６−７６４７１号公報
【特許文献２】特開２００８−１０２１７５号公報
【発明の開示】
【発明が解決しようとする課題】
【０００９】
本発明は、複写機、プリンター、ファクシミリ及びこれらの複合機等の画像形成装置などに使用される各種の部材をブラシローラーによって清掃する場合における前記のような問題を解決することを課題とするものである。
【００１０】
すなわち、本発明においては、上記のように各種の部材をブラシローラーによって清掃した結果、このブラシローラーのブラシ部に異物が付着した場合に、このブラシローラーのブラシ部に付着した異物を効率よく除去し、ブラシローラーによる各種の部材の清掃が長期にわたって安定して行えるようにすると共に、ブラシローラーによって清掃する各種の部材の表面が、ブラシ部との接触によって大きく摩耗するのを抑制することを課題とするものである。
【課題を解決するための手段】
【００１１】
本発明におけるブラシローラー清掃装置においては、前記の課題を解決するため、回転するブラシローラーのブラシ部に付着した異物を除去するブラシローラー清掃装置において、ブラシローラーの軸方向に沿った回転軸の外周に半径方向外方に突出された羽根部材が設けられた清掃部材を用い、この清掃部材における羽根部材をブラシローラーのブラシ部内に食い込んだ状態で回転させるようにした。
【００１２】
このように、清掃部材における羽根部材をブラシローラーのブラシ部内に食い込んだ状態で回転させると、ブラシローラーのブラシ部に付着した異物が、回転する羽根部材によってブラシ部から掻き取られると共に、このように掻き取られた異物が回転する羽根部材によりブラシ部から離れた位置に導かれて、羽根部材から離脱されるようになり、羽根部材によって掻き取られた異物がブラシローラーのブラシ部に戻るのが防止される。
【００１３】
ここで、前記の清掃部材において、回転軸の外周に半径方向外方に突出された羽根部材を設けるにあたっては、この羽根部材によってブラシローラーのブラシ部に付着した異物を効率よく掻き取ると共に、このように掻き取られた異物が羽根部材から適切に離脱されるようにするため、前記の羽根部材を回転軸の外周に沿って円板状に突出させるようにしたり、前記の羽根部材を回転軸の軸方向に間隔を介して複数設けるようにしたり、前記の羽根部材を回転軸の軸方向に傾斜して設けるようにしたり、また複数の羽根部材を回転軸の軸方向に傾斜して設けるにあたり、複数の羽根部材における一部の羽根部材を、回転軸の軸方向に対して傾斜する方向が異なる羽根部材を交差するように構成したりすることができる。
【００１４】
また、前記の清掃部材を回転させて、ブラシローラーのブラシ部に付着した異物を前記の羽根部材によって効率よく掻き取るようにするため、前記のブラシローラーと清掃部材とを同方向に回転させて、ブラシローラーと前記の清掃部材とが対向する位置で、ブラシローラーと清掃部材とを逆方向に移動させるようにすることが好ましく、また前記のブラシローラーと清掃部材とを逆方向に回転させて、ブラシローラーと前記の清掃部材とが対向する位置で、ブラシローラーと清掃部材とを同方向に移動させるにあたっては、ブラシローラーと清掃部材との回転速度を異ならせることが好ましい。
【００１５】
また、本発明の画像形成装置においては、画像形成装置内に設けられたブラシローラーのブラシ部に付着した異物を前記のブラシローラー清掃装置を用いて清掃させるようにした。
【００１６】
例えば、記録媒体におけるトナー画像を、定着装置に設けられた加熱ローラーと加圧ローラーとの間で加熱・加圧させて記録媒体に定着させる画像形成装置において、加熱ローラーや加圧ローラーや加圧ローラーに付着された異物を回収する回収ローラーに付着された異物を、ブラシローラーによって清掃させる画像形成装置において、このブラシローラーのブラシ部に付着した異物を前記のブラシローラー清掃装置を用いて清掃させるようにすることができる。
【発明の効果】
【００１７】
本発明のブラシローラー清掃装置においては、ブラシローラーのブラシ部に付着した異物が、ブラシローラーのブラシ部内に食い込んだ状態で回転する清掃部材の羽根部材によってブラシ部から適切に掻き取られると共に、このように掻き取られた異物が回転する羽根部材によりブラシ部から離れた位置に導かれて、羽根部材から離脱されるようになり、羽根部材によって掻き取られた異物がブラシローラーのブラシ部に戻るのが防止される。
【００１８】
この結果、本発明のブラシローラー清掃装置を用いると、ブラシローラーのブラシ部に付着した異物がブラシ部から適切に除去され、ブラシローラーによる各種の部材の清掃が長期にわたって安定して行えるようになると共に、ブラシローラーのブラシ部が付着した異物によって硬くなるのも抑制され、このブラシローラーによって清掃する各種の部材の表面が、ブラシ部との接触によって大きく摩耗するということも抑制される。
【図面の簡単な説明】
【００１９】
【図１】本発明の実施形態に係る画像形成装置の概略説明図である。
【図２】本発明の実施形態に係るブラシローラー清掃装置を示し、画像形成装置における定着装置において、記録媒体におけるトナー画像を加熱ローラーと加圧ローラーとの間で加熱・加圧させて記録媒体に定着させた場合に、加圧ローラーに付着された異物を回収する回収ローラーに付着した異物をブラシローラーにより除去し、このブラシローラーのブラシ部に付着した異物を清掃部材によって清掃する状態を示した概略説明図である。
【図３】前記の実施形態に係るブラシローラー清掃装置において、清掃部材の羽根部材を、ブラシローラーのブラシ部内に食い込んだ状態で回転させて、ブラシローラーのブラシ部に付着した異物を清掃する状態を示した概略説明図である。
【図４】前記の実施形態に係るブラシローラー清掃装置において、清掃部材を９０度ずつ回転させて、ブラシローラーのブラシ部内に食い込んだ清掃部材の羽根部材がブラシローラーのブラシ部と接触する角度や位置が変化する状態を示した概略部分説明図である。
【図５】前記の実施形態に係るブラシローラー清掃装置において、加熱ローラーに付着された異物をブラシローラーにより除去し、このブラシローラーのブラシ部に付着した異物を清掃部材によって清掃する状態を示した概略説明図である。
【図６】前記の実施形態に係るブラシローラー清掃装置において、感光体に潤滑剤を塗布するブラシローラーのブラシ部に付着した異物を清掃部材によって清掃する状態を示した概略説明図である。
【発明を実施するための最良の形態】
【００２０】
次に、この発明の実施形態に係る画像形成装置及びこの画像形成装置に使用するブラシローラー清掃装置を添付図面に基づいて具体的に説明する。なお、本発明に係る画像形成装置及びブラシローラー清掃装置は、下記の実施形態に示したものに限定されず、その要旨を変更しない範囲において適宜変更して実施できるものである。
【００２１】
この実施形態の画像形成装置１においては、図１に示すように、その内部に４つのイメージングカートリッジ１０Ａ〜１０Ｄを装着させている。
【００２２】
ここで、上記の各イメージングカートリッジ１０Ａ〜１０Ｄにおいては、感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー画像を形成する現像装置１４と、感光体１１の表面に形成されたトナー画像を中間転写ベルト２１に転写させた後に残留するトナーを感光体１１の表面から除去するクリーニング装置１５とを設けている。
【００２３】
また、上記の各イメージングカートリッジ１０Ａ〜１０Ｄにおける各現像装置１４においては、それぞれ収容させるトナーの色彩を異ならせ、黒色，黄色，マゼンダ色，シアン色のトナーを収容させている。
【００２４】
そして、この画像形成装置１においては、上記の各イメージングカートリッジ１０Ａ〜１０Ｄにおいて、それぞれ感光体１１の表面を帯電装置１２によって帯電させ、このように帯電された各感光体１１の表面に、それぞれ露光装置１３によって画像情報に応じた露光を行い、各感光体１１の表面にそれぞれ画像情報に応じた静電潜像を形成し、このように各感光体１１の表面に形成された静電潜像に、上記の各現像装置１４からそれぞれの色彩のトナーを供給して、各感光体１１の表面にそれぞれの色彩のトナー画像を形成するようにしている。
【００２５】
次いで、このように各イメージングカートリッジ１０Ａ〜１０Ｄにおける各感光体１１の表面に形成された各色彩のトナー画像を、中間転写ベルト２１に順々に転写させて、この中間転写ベルト２１の上に合成されたトナー画像を形成すると共に、転写後の各感光体１１の表面に残留するトナーをそれぞれクリーニング装置１５によって各感光体１１の表面から除去するようにしている。
【００２６】
また、この画像形成装置１内に収容された記録媒体Ｓを給紙ローラー２２によって給紙し、この記録媒体Ｓをタイミングローラー２３によって適当なタイミングで上記の中間転写ベルト２１と転写ローラー２４との間に導き、中間転写ベルト２１上に形成された上記のトナー画像をこの記録媒体Ｓに転写させるようにしている。そして、記録媒体Ｓに転写されずに中間転写ベルト２１上に残ったトナーを、第２クリーニング装置２５によって中間転写ベルト２１から除去するようにしている。
【００２７】
また、前記のようにトナー画像が転写された記録媒体Ｓを定着装置３０に導き、この定着装置３０において、上記のフルカラーのトナー画像をこの記録媒体Ｓに定着させた後、この記録媒体Ｓを排紙ローラー２７により排紙するようにしている。
【００２８】
ここで、前記の定着装置３０においては、図２に示すように、内部にハロゲンランプ等の加熱装置３１ａが設けられた加熱ローラー３１と、この加熱ローラー３１に押圧され、加熱ローラー３１の回転に伴って回転される加圧ローラー３２とが設けられている。そして、前記の加熱ローラー３１と加圧ローラー３２との間においてトナー画像ｔが転写された記録媒体Ｓを加熱・加圧させて、トナー画像ｔを記録媒体Ｓに定着させるようにしている。なお、加熱装置３１ａを加熱ローラー３１の内部に設けずに、加熱装置３１ａを加熱ローラー３１の外部に設けて、加熱ローラー３１を加熱させるようにすることもできる。
【００２９】
また、この定着装置３０においては、前記の加圧ローラー３２の表面に回収ローラー３３を接触させ、この回収ローラー３３を回転させて、加圧ローラー３２の表面に付着したトナーや紙粉等の異物を回収ローラー３３の表面に回収するようにしている。
【００３０】
そして、このように異物を回収した回収ローラー３３の表面に、回転軸４１ａの外周にブラシ部４１ｂが設けられたブラシローラー４１におけるブラシ部４１ｂを食い込むように接触させ、このブラシローラー４１を前記の回収ローラー３３と同方向に回転させて、回収ローラー３３とブラシローラー４１とが接触する位置で、ブラシローラー４１が回収ローラー３３と逆方向に移動させ、このブラシローラー４１におけるブラシ部４１ｂによって回収ローラー３３の表面に回収された異物を除去するようにしている。なお、前記のブラシローラー４１を回収ローラー３３と逆方向に回転させて、回収ローラー３３とブラシローラー４１とが接触する位置で、ブラシローラー４１を回収ローラー３３と同方向に移動させることもできる。但し、このようにした場合、ブラシローラー４１におけるブラシ部４１ｂによって回収ローラー３３の表面における異物を適切に除去させるため、ブラシローラー４１と回収ローラー３３との回転速度を異ならせることが好ましい。
【００３１】
ここで、前記のように回収ローラー３３の表面に回収された異物をブラシローラー４１におけるブラシ部４１ｂによって除去させた場合、除去された異物がブラシローラー４１におけるブラシ部４１ｂに付着して次第に蓄積されると、このブラシローラー４１によって回収ローラー３３の表面における異物を適切に除去させることができなくなる。また、このように付着した異物によってブラシ部４１ｂが硬くなり、前記のように回収ローラー３３の表面に、ブラシ部４１ｂを食い込むように接触させてブラシローラー４１を回転させると、このブラシ部４１ｂとの接触によって回収ローラー３３の表面が大きく摩耗されるようになる。
【００３２】
ここで、この実施形態においては、図３に示すように、ブラシローラー４１のブラシ部４１ｂに付着した異物を除去させる清掃部材４２として、ブラシローラー４１の軸方向に沿った回転軸４２ａの外周に、半径方向外方に突出された円板状の羽根部材４２ｂを、この回転軸４２ａの軸方向に傾斜するようにして所要間隔を介して複数設けたものを用いるようにした。
【００３３】
そして、清掃部材４２においては、同図に示すように、回転軸４２ａの軸方向中央部において、その片側における羽根部材４２ｂの傾斜方向と、反対側における羽根部材４２ｂの傾斜方向とを逆方向にすると共に、回転軸４２ａの中央部及び両側部における羽根部材４２ｂを、回転軸４２ａの軸方向に対して傾斜する方向が異なる羽根部材４２ｂを交差するように構成するようにした。なお、このように回転軸４２ａの中央部及び両側部における羽根部材４２ｂを、回転軸４２ａの軸方向に対して傾斜する方向が異なる羽根部材４２ｂを交差するように構成したのは、ブラシローラー４１の中央部や両側部において、そのブラシ部４１ｂに付着する異物が多くなるため、このように異物が多く付着された中央部や両側部におけるブラシ部４１ｂから異物を効率よく除去させるためである。
【００３４】
そして、この清掃部材４２における羽根部材４２ｂをブラシローラー４１のブラシ部４１ｂ内に食い込みようにして、この清掃部材４２をブラシローラー４１と対向させ、この清掃部材４２とブラシローラー４１とを同方向に回転させて、清掃部材４２の羽根部材４２ｂがブラシローラー４１のブラシ部４１ｂ内に食い込んだ状態で、ブラシローラー４１と清掃部材４２とを逆方向に移動させるようにする。このようにすると、回転する清掃部材４２の羽根部材４２ｂとブラシローラー４１のブラシ部４１ｂとが逆方向に移動して、ブラシ部４１ｂに付着した異物が羽根部材４２ｂによって掻き取られるようになる。
【００３５】
ここで、前記のように清掃部材４２の回転軸４２ａの軸方向に傾斜するように設けられた羽根部材４２ｂをブラシローラー４１のブラシ部４１ｂ内に食い込んだ状態で回転させると、図４（Ａ）〜（Ｄ）に示すように、清掃部材４２の羽根部材４２ｂが、ブラシローラー４１のブラシ部４１ｂと接触する角度や位置を変更しながら、ブラシローラー４１のブラシ部４１ｂと接触するようになる。
【００３６】
この結果、異物が付着したブラシローラー４１のブラシ部４１ｂに対して羽根部材４２ｂによる掻き取り力が作用する方向が変化しながら、この羽根部材４２ｂによってブラシ部４１ｂに付着した異物が適切に除去されるようになると共に、このように除去された異物が羽根部材４２ｂの回転に伴ってブラシ部４１ｂから離れた位置に導かれて、この羽根部材４２ｂから離脱されるようになり、羽根部材４２ｂによって掻き取られた異物がブラシローラー４１のブラシ部４１ｂに戻るのが防止される。
【００３７】
なお、この実施形態においては、清掃部材４２とブラシローラー４１とを同方向に回転させるようにしたが、清掃部材４２とブラシローラー４１とを逆方向に回転させて、清掃部材４２の羽根部材４２ｂがブラシローラー４１のブラシ部４１ｂ内に食い込んだ状態で、ブラシローラー４１と清掃部材４２とを同方向に移動させるようにすることも可能である。但し、このようにした場合には、羽根部材４２ｂが、ブラシローラー４１のブラシ部４１ｂと接触する角度や位置を変更しながら、ブラシローラー４１のブラシ部４１ｂと接触するように、ブラシローラー４１と清掃部材４２との回転速度を異ならせることが好ましい。
【００３８】
また、上記の実施形態においては、定着装置３０における加圧ローラー３２の表面からトナーや紙粉等の異物を回収する回収ローラー３３に接触するようにブラシローラー４１を設け、このブラシローラー４１のブラシ部４１ｂに付着した異物を清掃部材４２によって除去させるようにしたが、ブラシローラー４１を加圧ローラー３２の表面に直接接触させて、加圧ローラー３２の表面におけるトナーや紙粉等の異物を、このブラシローラー４１によって直接除去させるようにし、このブラシローラー４１のブラシ部４１ｂに付着した異物を、前記の清掃部材４２によって除去させるようにすることもできる。
【００３９】
また、図５に示すように、定着装置３０における加熱ローラー３１の表面に接触するようにブラシローラー４１を設け、このブラシローラー４１のブラシ部４１ｂに付着した異物を前記の清掃部材４２によって除去させるようにすることもできる。
【００４０】
さらに、前記のブラシローラー４１や清掃部材４２を設ける場所は、前記のような定着装置３０に限られず、様々な場所に設けるようにすることができる。
【００４１】
例えば、図６に示すように、固形潤滑剤１６から掻き取った潤滑剤を感光体１１の表面に供給するブラシローラー４１を、感光体１１の表面に接触するように設け、このブラシローラー４１のブラシ部４１ｂに付着した異物を、前記の清掃部材４２によって除去させるようにすることもできる。
【符号の説明】
【００４２】
１  画像形成装置
１０Ａ〜１０Ｄ  イメージングカートリッジ
１１  感光体
１２  帯電装置
１３  露光装置
１４  現像装置
１５  クリーニング装置
１６  固形潤滑剤
２１  中間転写ベルト
２２  給紙ローラー
２３  タイミングローラー
２４  転写ローラー
２５  第２クリーニング装置
２７  排紙ローラー
３０  定着装置
３１  加熱ローラー  、  ３１ａ  加熱装置
３２  加圧ローラー
３３  回収ローラー
４１  ブラシローラー、  ４１ａ  回転軸、  ４１ｂ  ブラシ部
４２  清掃部材、  ４１ａ  回転軸、  ４１ｂ  羽根部材
Ｓ  記録媒体
ｔ  トナー画像
【図１】
2013190543.tif 000003
【図２】
2013190543.tif 000004
【図３】
2013190543.tif 000005
【図４】
2013190543.tif 000006
【図５】
2013190543.tif 000007
【図６】
2013190543.tif 000008